(57)【要約】【課題】ＬＥＤと導光板入光面の位置ズレを抑制し、安定した光学特性を実現するとともに、ＬＥＤに対して、導光板の片側だけでなく両側を発光させることができる光学部品を提供する。【解決手段】ＬＥＤ光源と導光板とを含み、導光板は、ＬＥＤ光源からの光を導光板の内部に取り込む入光部と、入光部から取り込まれた光の道を曲げる曲げ部と、曲げ部を通過した光を出射する第１発光部と、入光部を間において、曲げ部と反対方向に位置し、光を出射する第２発光部を有するつば部と、から成るＬＥＤ照明装置を用いる。【選択図】  図１
2014026967.tif 000002
【特許請求の範囲】
【請求項１】
ＬＥＤ光源と導光板とを含み、
前記導光板は、
前記ＬＥＤ光源からの光を前記導光板の内部に取り込む入光部と、
前記入光部から取り込まれた光の道を曲げる曲げ部と、
前記曲げ部を通過した光を出射する第１発光部と、
前記入光部を間において、前記曲げ部と反対方向に位置し、光を出射する第２発光部を有するつば部と、
から成ることを特徴とするＬＥＤ照明装置。
【請求項２】
前記第１発光部の出射面と対向する面に凹凸、または、溝、または、ドットが形成されている請求項１記載のＬＥＤ照明装置。
【請求項３】
前記つば部と前記第１発光部とは平面形状であり、互いに平行であり、
前記曲げ部は、前記つば部と前記第１発光部とを連結し、その断面形状が弧の形状である請求項１記載のＬＥＤ照明装置。
【請求項４】
前記つば部の端部には、前記導光板を固定する固定部が設けられている請求項１から３のいずれか１項に記載のＬＥＤ照明装置。
【請求項５】
前記導光板は、平面状の前記つば部が２つあり、前記２つのつば部の間に２つの前記曲げ部が位置し、さらに、前記２つの曲げ部間に、１つの平面状第１発光部がある請求項１から４のいずれか１項に記載のＬＥＤ照明装置。
【請求項６】
前記曲げ部の下方にＬＥＤ光源が位置し、前記ＬＥＤ光源の中心が、前記曲げ部の外周面と内周面との間に位置する請求項１から５のいずれか１項に記載のＬＥＤ照明装置。
【請求項７】
前記曲げ部の下方で、前記第１発光部と前記つば部との間の任意の位置でＬＥＤ光源を固定できる請求項１から６のいずれか１項に記載のＬＥＤ照明装置。
【請求項８】
前記つば部の下面と前記第１発光部の下面とが同一平面である請求項１から７のいずれか１項に記載のＬＥＤ照明装置。
【請求項９】
前記つば部の端部に凸部があり、前記ＬＥＤ光源がつば部の下方にあり、前記凸部の先端面と前記ＬＥＤ光源を有する基板の下面とが同一平面である請求項１から８のいずれか１項に記載のＬＥＤ照明装置。
【請求項１０】
前記つば部の前記第２発光部の表面が湾曲されている請求項１から９のいずれか１項に記載のＬＥＤ照明装置。
【請求項１１】
前記曲げ部が、平面状である請求項１から９のいずれか１項に記載のＬＥＤ照明装置。
【請求項１２】
前記つば部の前記第２発光部に凹凸、または、溝、または、ドット、または、傾斜部、または、シボが形成されていることを特徴とする請求項１から１１のいずれか１項に記載のＬＥＤ照明装置。
【請求項１３】
前記つば部の出射面に対向する面に凹凸、または、溝、または、ドット、または、傾斜部、または、シボが形成されていることを特徴とする請求項１から１２のいずれか１項に記載のＬＥＤ照明装置。
【請求項１４】
前記入光部に溝、または、シボが形成されていることを特徴とする請求項１から１３のいずれか１項に記載のＬＥＤ照明装置。
【発明の詳細な説明】
【技術分野】
【０００１】
本発明は、ＬＥＤ（発光ダイオード）を光源に用いたＬＥＤ照明装置の光学部品に関する。
【背景技術】
【０００２】
現在、蛍光灯の照明装置から、光源に発光ダイオード（ＬＥＤ：Ｌｉｇｈｔ  Ｅｍｉｔｔｉｎｇ  Ｄｉｏｄｅ）を用いたＬＥＤ照明装置への置き換えが進んでいる。
【０００３】
これは、一つには蛍光灯に含まれる微量の水銀のため環境対応の点で廃棄処理時の問題があり、ＬＥＤ照明装置に置き換えることによって、完全に水銀フリーの照明装置を実現できるからである。また、蛍光灯はインバータや安定器が必要だが、ＬＥＤ照明装置ではそれが不要となる為に消費電力を低減できるからでもある。一方、白熱電球では水銀やインバータ等の問題こそないが、蛍光灯に比べて発光効率が低く寿命も短いので、やはりＬＥＤ照明装置に置き換えることによって、消費電力を低減でき、且つ寿命も延長できる。この様な背景から、各種ＬＥＤ照明装置が提案、実用化されている。
【０００４】
ＬＥＤ照明装置は、光源とするＬＥＤ素子そのものは輝度が高く直視した場合においては不快感を覚える。そのため、導光板を用いて、光を広げ、面光源化することで被照射面の照度を落とさず、ＬＥＤ照明装置自体の発光面の局所的な輝度は低く抑えることができる。
【０００５】
導光板を用いたＬＥＤ照明装置として、導光板内の光が進む導光方向と、ＬＥＤから放射される光の方向とが、垂直となるものがある。図１２（ａ）に、特許文献１の断面図を、図１２（ｂ）に特許文献２の断面図を示す。図１２（ａ）および図１２（ｂ）は、ＬＥＤ１１０と導光板１１１とからなり、導光板１１１に関しては、光を曲げる曲げ部１１２と、光を放出する出射部１２０と、を有している。
【０００６】
特許文献１および特許文献２記載の構造では、光源であるＬＥＤ１１０から放射された光が、ＬＥＤ１１０の直上に配置された導光板１１１の入光面１０４から導光板１１１に入光した後、曲げ部１１２において全反射することで進行方向を導光板１１１の出射部１２０と略平行となる導光方向１０８へ変える。その結果、導光板１１１の内における導光方向１０８とＬＥＤ１１０からの光の放出方向１０７とが略垂直の関係となる。
【先行技術文献】
【特許文献】
【０００７】
【特許文献１】特開２００８−３４１５５号公報
【特許文献２】特開２００８−１０３３０１号公報
【発明の概要】
【発明が解決しようとする課題】
【０００８】
図１３（ａ）、（ｂ）に、ＬＥＤ１１０周辺の拡大断面図示す。図１３（ａ）では、導光方向１０８に対して、周辺部が全く発光しない場合の断面図を示している。図１３（ｂ）には、導光方向１０８と垂直な方向に光が漏れ、光り過ぎる場合の断面図を示めしている。つまり、ＬＥＤ１１０付近の導光板１１１が光らない、または、漏れた漏れ光１０２により、光過ぎる場合である。特に、図１３（ｂ）の漏れ光１０２では、いろいろな方向の光により色ムラが発生する場合がある。
【０００９】
上記は、ＬＥＤ１１０と、導光板１１１との位置関係により生じるので、位置合わせを正確にし、しっかり固定すればよい。しかしながら、位置合わせを正確にし、しっかり固定とするためには、導光板１１１の曲げ部１１２、または、曲げ部１１２近傍の出射部１２０を、固定部等により固定することが必要となる。この場合、歪みにより全反射特性が失われる場合がある。また、導光板１１１に設けることになる貫通孔や固定部等により非発光部（影）やムラが生じてしまう場合もある。また、導光板１１１をしっかりと固定をしない場合には、ＬＥＤ１１０と導光板１１１の入光面との位置関係を一定に保つことが困難となり、上記のように、漏れ光１０２などで、光学特性は安定しなくなる。この場合、一般的には導光板１１１への入光効率や、導光板１１１の出射面の輝度分布が変動する。
【００１０】
また、ＬＥＤ照明装置の外周を含めた全面を発光させたい場合においては、特許文献１および特許文献２の構造では、実現できない。
【課題を解決するための手段】
【００１１】
上記課題を解決するために、ＬＥＤ光源と導光板とを含み、前記導光板は、前記ＬＥＤ光源からの光を導光板内部に取り込む入光部と、前記入光部から取り込まれた光の道を曲げる曲げ部と、前記曲げ部を通過した光を出射する第１発光部と、前記入光部を間において、前記曲げ部と反対方向に位置し、光を出射する第２発光部を有するつば部と、
から成ることを特徴とするＬＥＤ照明装置を用いる。
【発明の効果】
【００１２】
ＬＥＤから放射された光が、導光板へ入光し一部は光曲げ部で主となる導光方向へ向きを変え、残る光は、つば部へ入光する。その結果、ツバを配置することで、ＬＥＤに対して、２方向に導光し発光することができるとともに、簡易に導光板のＬＥＤ近傍部を固定することで、光学特性を安定化することができる。
【図面の簡単な説明】
【００１３】
【図１】（ａ）本願実施の形態１におけるＬＥＤ蛍光灯、（ｂ）（ａ）の拡大断面図
【図２】（ａ）〜（ｄ）本願実施の形態２のＬＥＤ照明機器の端部拡大断面図
【図３】（ａ）〜（ｃ）本願実施の形態３のＬＥＤ照明機器の第１発光部の拡大断面図
【図４】（ａ）〜（ｂ）本願実施の形態４のＬＥＤ照明機器の端部拡大断面図
【図５】（ａ）〜（ｂ）本願実施の形態５のＬＥＤ照明機器の端部拡大断面図
【図６】（ａ）〜（ｂ）本願実施の形態６のＬＥＤ照明機器の端部拡大断面図
【図７】（ａ）〜（ｃ）本願実施の形態７のＬＥＤ照明機器の端部拡大断面図
【図８】（ａ）〜（ｂ）本願実施の形態８のＬＥＤ照明機器の端部拡大断面図
【図９】（ａ）〜（ｄ）本願実施の形態９のＬＥＤ照明機器の端部拡大断面図
【図１０】（ａ）本発明の実施の形態１０における導光板の斜視図、（ｂ）本発明の実施の形態１０におけるＬＥＤ照明機器の端部拡大断面図
【図１１】（ａ）〜（ｄ）本願実施の形態１１のＬＥＤ照明機器の端部拡大断面図
【図１２】（ａ）従来のＬＥＤ照明機器の断面図、（ｂ）従来のＬＥＤ照明機器の断面図
【図１３】（ａ）従来のＬＥＤ照明機器の端部拡大断面図、（ｂ）従来のＬＥＤ照明機器の端部拡大断面図
【発明を実施するための形態】
【００１４】
以下本発明を実施の形態について、図面を参照しながら説明する。
【００１５】
（実施の形態１）
本発明の実施の形態１における導光板１１１について、図１（ａ）と図１（ｂ）とを用いて説明する。
【００１６】
図１（ａ）は、本発明の実施の形態１における円盤状の照明用器具の斜視図であり、図１（ｂ）は、その器具のＬＥＤ１１０部分周辺の拡大断面図である。
【００１７】
本照明用器具は、基板１１５に実装されたＬＥＤ１１０と、ＬＥＤ１１０の光を伝達、放出する導光板１１１とからなる。
【００１８】
ＬＥＤ１１０は、光源であり、この場合、円形状の照明用器具を構成するため、円形状に並べられている。ＬＥＤ１１０は、長さ３．０ｍｍ、幅１．４ｍｍ、厚み０．５２ｍｍの寸法である。ＬＥＤ１１０は、基板１１５に実装されている。プリズム溝１３１は、光源の並びと同心円状に溝が設けられている。ＬＥＤ１１０は、基板１１５で制御される。
【００１９】
導光板１１１は、導光板１１１を湾曲させた曲げ部１１２と、光を放出する第１発光部１１３と、第１発光部１１３には、発光方向に光を反射させるためのプリズム溝１３１と、天井などに固定するための固定部１１６を有するつば部１１４を有する。
【００２０】
曲げ部１１２は、入光領域１２４に隣接し、光を曲げ導くところである。外周面が、光を全反射する全反射領域１２２となっている。また、曲げ部１１２は、曲面から成り、外径１０ｍｍ、内径７ｍｍである。曲げ部１１２は、つば部１１４と第１発光部１１３とを連結し、その断面形状が弧の形状である。
【００２１】
第１発光部１１３は、曲げ部１１２に隣接し、曲げ部１１２から連続する厚み３ｍｍの平板である。曲げ部１１２から光をもらい、その上面で光を放出する。その下面には、プリズム溝１３１が位置する。プリズム溝１３１は、曲げ部１１２と第１発光部１１３とのつながり付近（境目）より、プリズム溝１３１の深さを、浅いものから、器具中心にむけてプリズム溝１３１の深さを深くする。プリズム溝１３１の深さは、１００μｍ以下で、深さは可変である。または、曲げ部１１２と、第１発光部１１３とのつながり付近より、プリズム溝１３１の間ピッチを５００μｍから、１００μｍレベルまでピッチを細かくするように設けてもよい。このことにより、第１発光部１１３から出射された光は円盤上に均一化、または所望の輝度分布に発光させることが可能となる。
【００２２】
つば部１１４は、曲げ部１１２を間として、第１発光部１１３と反対側に位置する。つば部下面１１４ｂには、導光した光を全反射する面である全反射領域１４２がある。つば部１１４は、平板状で、その長さＬは、導光板１１１を固定するために３ｍｍ以上であることが好ましい。つば部１１４の長さＬは、図１（ａ）の副導光方向２０１方向への導光の役割を確保するため５０ｍｍとした。厚みＴは、つば部１１４の厚みを示している。つば部１１４の上面から光が放出される。ここでが、つば部１１４の上面を第２発光部とする。
【００２３】
入光領域１２４は、つば部下面１１４ｂの一部の領域で、ＬＥＤ１１０の直上であり、光が導光板１１１に入光する部分である。
【００２４】
主導光方向２００は、導光板１１１の入光領域１２４から入ってきた光が導光する方向を示す図であり、本方向を主導光方向としている。副導光方向２０１は、つば部１１４の方向に導光する方向を示す図であり、副導光方向としている。主導光方向２００の光量は、副導光方向２０１の光量より多い。
【００２５】
導光板１１１の材質は、アクリル材である。耐熱性が求められる場合においては、ポリカーボネイトが用いられこともある。導光板１１１の厚みＴは、均肉であり、１０ｍｍ以下で構成することが多い。この実施の形態では、射出成形で成形し製作するようにしているので、成形コスト低減のために、強度、成形時間、材料重量のバランスを検討し、３ｍｍとした。導光板１１１の好ましい肉厚の厚み設定は、成形部品であることから、できるかぎり均一肉厚で設計することが望ましいが、光学設計の設計自由度を広げるために、少なくとも曲げ部１１２および第１発光部の厚みは１ｍｍ以上１０ｍｍ以下であるように設計する。つば部１１４は入光領域１２４から連続する厚み３ｍｍの平板である。光学設計の自由度を広げたとしても、少なくとも、つば部１１４の厚みは、１ｍｍ以上５ｍｍ以下であるように設計する。
【００２６】
固定部１１６は、つば部１１４の端部に位置し、つば部１１４を押え、導光板１１１全体を固定するものである。固定部１１６は、図１（ａ）に示すように、円周上の４箇所程度で固定する。ネジなどである。つば部１１４で導光した光は、固定部１１６のない部分で発光することが主であり、固定部１１６は、その位置により、光が影響されないように配置している。
【００２７】
ＬＥＤ１１０の直上に、入光領域１２４が位置するように、導光板１１１が配置される。導光板１１１は、入光領域１２４とＬＥＤ１１０との間隔を０．５ｍｍとした。
【００２８】
入光領域１２４から入光した光の一部は曲げ部１１２を介して、主に、全反射領域１２２で光を主導光方向２００の方向にまげ、第１発光部１１３に導光させ、プリズム溝１３１により第１発光部１１３から光が放出される。また、入光領域１２４から入光した光の一部は、つば部１１４の中を導光して、つば部１１４から発光する。
【００２９】
この実施の形態では、ＬＥＤ１１０の光を第１発光部１１３とつば部１１４とに分けたため、ＬＥＤ１１０の周辺でも光が放出され、ＬＥＤ１１０の周辺が暗くない。
【００３０】
また、つば部１１４に固定部１１６を設けたので、固定部１１６の影響が、曲げ部１１２に及ばないので、光が導光される。
【００３１】
（実施の形態２）
実施の形態２は、実施の形態１における図１（ｂ）のつば部１１４に関するものである。その他構成は実施の形態１と同じである。
【００３２】
図２（ａ）〜（ｄ）は、図１（ｂ）のつば部１１４の部分の部分斜視図である。
【００３３】
図２（ａ）では、つば部上面１１４ａは、光が放出される第２発光部であり、つば部上面１１４ａに対向するつば部下面１１４ｂには、プリズム溝１３１があり、プリズム溝１３１は、つば部１１４の長手方向に垂直に複数本、形成されている。
【００３４】
このプリズム溝１３１に照射された光が反射され、プリズム溝１３１の上面へ導かれる。光を効率よく出射させることが可能となる。プリズム溝１３１は、三角柱状の溝であり、光を反射する。導光板１１１が円盤状であるので、このプリズム溝１３１は、外周にそって形成される。プリズム溝１３１は三角柱状の凹であり、斜面同士で全反射することで発光方向に光を反射する。
【００３５】
図２（ｂ）は、つば部下面１１４ｂに、凸状の三角プリズム溝１３２が配置されている。この三角プリズム溝１３２の幅および高さはともに１００μｍ以下である。断面における先端は、Ｒ形状を有してもよい。
【００３６】
図２（ｃ）では、つば部下面１１４ｂに、凹状の円錐１３３が配置されている。この円錐１３３の径および深さは、ともに５００μｍ以下である。断面における頂点はＲ形状を有してもよい。
【００３７】
円錐１３３は、つば部下面１１４ｂに、数百〜数千個の数で設ける。
【００３８】
図２（ｄ）では、つば部下面１１４ｂに凸状の円錐１３４が配置されている。この円錐１３４の幅および高さはともに５００μｍ以下である。断面部における頂点部は、Ｒ形状を有してもよい。円錐１３４は、つば部下面１１４ｂに、数百〜数千個の数で設ける。
【００３９】
つば部１１４を導光してきた光は、凹状の三角プリズム溝１３２、凸状の三角プリズム溝１３２、凹状の円錐１３３、凸上の円錐１３４に、入射、反射されることで、光の進行方向が変わり、つば部上面１１４ａから出射し面状に発光することができる。
【００４０】
以上の例の中で、加工性、発光方向の制御のしやすさから、図２（ａ）の１３１プリズム溝が一番好ましい例である。
【００４１】
（実施の形態３）
実施の形態３では、実施の形態１における第１発光部１１３に関するものである。その他構成は実施の形態１と同じである。実施の形態１では、第１発光部１１３の下面に凹状のプリズム溝１３１を設けているが、以下はその、別の例である。
【００４２】
図３（ａ）は、導光板１１１の第１発光部１１３を拡大した斜視図である。第１発光部底面１２３に、凸状の三角プリズム溝１３２が配置されている。この三角プリズム溝１３２の幅および高さはともに１００μｍ以下である。断面における先端は、Ｒ形状を有してもよい。第１発光部１１３に導光してきた光は、三角プリズム溝１３２に入射、反射することで、光の進行方向が変わり、第１発光部底面１２３に対向する面（第１発光部１１３の上面）から出射し面状に発光することができる。三角プリズム溝１３２は、三角柱状の凸であり、斜面同士で、光を全反射することで発光方向（上方へ）に光を反射する。図１（ａ）のように、導光板１１１が円盤状であるので、この三角プリズム溝１３２は、外周にそって形成される。
【００４３】
図３（ｂ）では、第１発光部底面１２３に凹状の円錐１３３が配置されている。この円錐１３３の径および深さは、ともに、５００μｍ以下である。断面における頂点はＲ形状を有してもよい。第１発光部底面１２３に導光してきた光は、この円錐１３３に入射又は反射することで進行方向が変わり、第１発光部底面１２３に対向する面（上面）から出射し、面状に発光することができる。円錐状の溝は、第１発光部底面１２３に数百〜数千個の数で設ける。
【００４４】
図３（ｃ）では、第１発光部底面１２３に凸状の円錐１３４が配置されている。この円錐１３４の幅および高さはともに５００μｍ以下である。断面部における頂点部は、Ｒ形状を有してもよい。第１発光部１１３に導光してきた光は、この円錐１３４に入射又は反射することで進行方向が変わり、第１発光部底面１２３に対向する面（上面）から出射し面状に発光することができる円錐状の溝は、第１発光部底面１２３に数百〜数千個の数で設ける。
【００４５】
このように第１発光部１１３に導かれた光は、図３（ａ）〜図３（ｃ）に示されるパターンによって面状に出射、発光することができる。このとき、図３（ａ）〜図３（ｃ）のパターンは、入り口側（図１（ｂ）の曲げ部１１２側、図で右側）のパターンの深さを浅くし、導光板１１１の内部方向（左側）へ向かって、深さを深くしてもよい。または、入り口側は、パターンのピッチを粗く設け、内部方向で、ピッチを細かくするとよい。このような構造とすれば光を均質に放出できる。
【００４６】
実施の形態３で示した、いずれのプリズム形状においても、発光方向に光を出射できるが、加工性、発光方向の制御のしやすさは図１（ｂ）の実施の形態１での１３１プリズム溝が一番好ましい。
【００４７】
（実施の形態４）
この実施の形態では、実施の形態１におけるＬＥＤ１１０の位置に関するものである。その他構成は実施の形態１と同じである。
【００４８】
図４（ａ）、（ｂ）は、本発明の照明用器具の部分断面図を示す図である。図４（ａ）、（ｂ）は、図１（ａ）に対応するものであり、ＬＥＤ１１０の位置を変えている。
【００４９】
図４（ａ）では、ＬＥＤ１１０の位置が、図１（ａ）における位置より、つば部１１４側（器具の外側）にある。この位置関係においては、主導光方向２００にいく光の割合が減り、つば部１１４方向の副導光方向２０１へ行く光の割合が増える。つば部１１４から漏れる光が増える。
【００５０】
一方、図４（ｂ）では、ＬＥＤ１１０の位置が、図１（ａ）における位置関係と比べて第１発光部１１３側にある。この際、つば部１１４に導光する光の割合、つまり、副導光方向２０１の光量が減る。つば部１１４からの光発散が減り光の広がりが悪くなる。
【００５１】
図１（ａ）、図４（ａ）、図４（ｂ）に示すように、ＬＥＤ１１０の位置を導光板１１１に対して変化させることで、光を導く方向を制御できる。
【００５２】
ＬＥＤ照明器具の種類に応じて、ＬＥＤ１１０と導光板１１１（曲げ部１１２）の位置を決定すればよい。移動できる構造としておくと、なお、いろいろな用途に適用できよい。たとえば、狭い部屋の場合、副導光方向２０１の光を減らすため、図４（ｂ）の配置とする。ＬＥＤ１１０を、入光領域１２４の下方で、曲げ部１１２とつば部１１４との間の任意のところに固定できるとよい。より好ましくは、ＬＥＤ１１０の光源の中心は、曲げ部１１２の外周面と内周面の間の下に位置する必要がある。
【００５３】
（実施の形態５）
図５（ａ）、（ｂ）は、この実施の形態の照明用器具の部分断面を示す図である。以下に示す以外、他の構成は、実施の形態１と同じである。
【００５４】
図５（ａ）では、第１発光部底面１２３と入光領域１２４とが同一平面上にあるようにしている。このことにより、ＬＥＤ１１０から発光した光が、効率よく導光板１１１に入光することができる。しかしながら、この例では、導光板１１１が厚いので、小ロットで数量が少なく、直接加工するものにおいては可能であるが、成形金型で、製作するレベルの生産量においては、成形時間がかかるので経済的でない。小ロットで性能をよくする場合は、入光効率を上げる上で効果的である。
【００５５】
図５（ｂ）では、曲げ部１１２の陵線が曲線ではなく、単数もしくは複数の直線である。つまり、平面である。
【００５６】
導光板製作時に必要となる金型作成が容易になる点および成型時の離型性で有利となる。また、曲げ部１１２におけるＬＥＤ１１０とは反対側の面である曲げ部上面１１２ａは鏡面でなくてもよい。その場合は、曲げ部１１２において全反射する割合が減り、曲げ部上面１１２ａからも積極的に光を出射させることができ、第１発光部１１３から曲げ部１１２から、つば部１１４までを、より連続的に発光させることができる。
【００５７】
（実施の形態６）
図６（ａ）は、本発明の実施の形態６における照明用器具の部分断面を示す図である。
【００５８】
全体構成は実施の形態１と同じである。この実施の形態では、基板１１５の底面とつば部１１４の端部端面１３８が同一平面にあるようにしている。
【００５９】
実施の形態１では、図１（ｂ）に示されるように、基板１１５の底面と、つば部１１４の端部底面とが同一平面にない。この為、基板１１５の底部に配置される照明器具の筐体面と、つば部１１４の端部底面に段差が生じることから、この隙間をうめる機能を有する部材を別途、配置することが必要であった。
【００６０】
この実施の形態では、基板１１５の裏面と、つば部１１４の端部端面１３８とを同一面で筐体、天井などに固定することで、ＬＥＤ１１０と導光板１１１の入光領域１２４との距離を一定にでき、取り付けが容易で、安定して位置関係を保つことが可能となる。
【００６１】
図６（ｂ）は、この実施の形態における別の照明用器具の部分断面を示す図である。全体構成は、実施の形態１と同じである。この実施の形態では、つば部１１４の上面に滑らかな曲線をもつ曲線面１３６を形成している。この曲線面１３６の形状が曲げ部１１２との付け根部分から滑らかな曲線となっている。この場合、つば部１１４の上面である曲線面１３６より放射状に光を出射することが可能となる。このことにより、光をより広がりをもって発光することが可能となる。曲線部は、円弧状の断面を有する。
【００６２】
（実施の形態７）
つば部１１４の形状について、図１（ｂ）に対応するＬＥＤ照明器具の端部の断面図である図７（ａ）〜図７（ｃ）を用いて説明する。
【００６３】
図７（ａ）に示されている断面図のように、つば部１１４の長さＬと厚みＴの比Ｌ／Ｔが小さい場合は、光は、ＬＥＤ１１０から入光した後、つば部１１４のＬＥＤ１１０側の面と対向するつば部上面１１４ａから直接出射することで、つば部１１４の上面全体が発光することができる（矢印）。
【００６４】
これに対して、図７（ｂ）に示すようにＬ／Ｔが大きい場合は、ＬＥＤ１１０から入光した後、つば部１１４のＬＥＤ１１０側の面と対向するつば部上面１１４ａから直接出射することで、つば部１１４のＬＥＤ１１０近傍領域１２５は発光するが、ＬＥＤ１１０から遠方領域１２６はつば部１１４内を導光しないため発光することができない。
【００６５】
図７（ｃ）に示される断面図のように、入光領域１２４に単一のプリズム溝１１７が配置されている。
【００６６】
断面形状は三角形である。この溝の深さは、つば部１１４の厚み３ｍｍに対して、１．５ｍｍで、この三角形のつば部１１４側の角度は、７０°より大きく、三角形の第１発光部１１３側の角度は、３５°より大きい設定としている。つば部１１４側の角度を、第１発光部１１３側の角度より大きくしていることで、光が、つば部１１４側深くへ、より導かれる。
【００６７】
特に、このプリズム溝１１７の斜面１１８側に入光した光は、屈折することで入射方向がつば部１１４の長さ方向側へ向き、つば部１１４のつば部上面１１４ａ（第２発光部）および、つば部下面１１４ｂにおいて全反射することで、つば部１１４内を導光することができる。上述のようなプリズム溝１１７の底辺の角度に設定することで、入光領域１２４から入光した光が、つば部上面１１４ａ（第２発光部）から直接抜けてしまう割合を低下させ、つば部１１４端部へ導光する割合を増加させることができる。
【００６８】
しかし、つば部１１４の連結部１１４ｃの厚みが薄くなり、強度的に問題になる場合があるので、連結部１１４ｃを設けている。連結部１１４ｃは、つば部１１４と曲げ部１１２とをつなぐ部分で、他の部分（つば部１１４と曲げ部１１２）より肉厚な部である。他の部分より不連続に厚みを有する。つば部１１４の底面のつば部下面１１４ｂは光学面をもつ。全体構成は実施の形態１と同じである。
【００６９】
（実施の形態８）
図８（ａ）は、本発明の実施の形態８における照明用器具の部分断面を示す図である。
【００７０】
連結部１１４ｃは、つば部１１４と曲げ部１１２とをつなぐ肉厚部である。つば部下面１１４ｂは光学面をもつ。その他構成は、実施の形態１と同じである。
【００７１】
図８（ａ）に示されるように、入光領域１２４に微細な複数の溝１２８が配置されている。図８（ａ）のその他の構成は、図１（ａ）と同様である。この溝１２８の深さは、つば部１１４の厚み３ｍｍに対して、０．２ｍｍで、底辺の角度は、実施の形態７におけるプリズム溝１１７と同様である。このプリズム溝を今回１０個配置している。この場合、図７（ｃ）と同様につば部１１４内に導光させる機能を維持したまま、つば部１１４の連結部１１４ｃの厚みにより、強度も維持することができる。
【００７２】
また、つば部１１４に導光した光を効率よく発光面側（上面）に発光させるために、つば部下面１１４ｂに図２に示したようなプリズム溝１３１を設けるのが最もよい。または、図３（ａ）から図３（ｃ）のようないろいろな形状凹凸を設けてもよい。
【００７３】
図８（ｂ）に別の例を示す。入光領域１２４にシボ１１９を配置したものである。その他の構成は、実施の形態１と同様である。図８（ａ）における溝１２８の形状が制御（ライン状）されているのに対して、図８（ｂ）におけるシボ１１９はランダムな形状であることを特徴としている。このシボ１１９の大きさ及び深さは、ともに数μｍ〜数百μｍ径である。この場合、つば部１１４内へはランダムな方向で入光することから、確率的につば部１１４への導光が可能となる。
【００７４】
シボ１１９は、山型の波状の凹凸形状であり、山の高い位置のピークはランダムで形状も不均一である。
【００７５】
（実施の形態９）
図９（ａ）から図９（ｄ）は、本発明の実施の形態９における照明用器具の部分断面を示す図である。下記に示した以外は実施の形態１と同じである。
【００７６】
つば部１１４には、上面の光発散面である、つば部上面１１４ａ（第２発光部）と、下面である、つば部下面１１４ｂとがある。連結部１１４ｃは、つば部１１４と曲げ部１１２とをつなぐ肉厚の部分である。この例では、つば部上面１１４ａに、いろいろな形状、つまり、凹凸、プリズム溝などを設けている。これらは、ＬＥＤ１１０の並びと同じ円周状に設けられている。その他の構成は実施の形態１と同じである。
【００７７】
図９（ａ）では、単一のプリズム溝３１０を、つば部上面１１４ａ側に配置している。この溝の深さは、つば部１１４の厚み３ｍｍに対して、１．５ｍｍである。プリズム溝３１０は断面で三角形状であるが、底辺の角度は、つば部１１４側の角度は３５°より小さく、第１発光部１１３側の角度は７０°より小さい設定としている。このことで、光が、つば部１１４側へ、より導かれる。
【００７８】
図９（ｂ）では、別の変形例の部分断面を示す図である。つば部上面１１４ａに、複数のプリズム溝３１１がＬＥＤ１１０の並びと同じ円周状に設けられている。全体構成は実施の形態１と同じである。図９（ｂ）に示す断面図では、つば部上面１１４ａ側に微細な複数のプリズム溝３１１を配置している。この溝の深さは、つば部１１４の厚み３ｍｍに対して、０．２ｍｍで、底辺の角度は、図９（ａ）に示されているプリズム溝３１０と同様である。今回１０個のプリズム溝３１１を配置している。さらに、つば部１１４の付け根部１１４ｃの厚みを厚くすることで、つば部１１４内に、光を導光させる機能を維持したまま、付け根部１１４ｃの強度を維持することができる。
【００７９】
図９（ｃ）では、別の変形例の部分断面を示す図である。つば部上面１１４ａに、シボ３１２が設けられている。全体構成は実施の形態１と同じである。その他の構成は、図１（ａ）と同様である。このシボ３１２の形状、大きさ等は実施の形態８のシボ１１９と同様である。入光領域１２４から、入光した光が、シボパターンにあたり導光方向へ光りを拡散する。この構成において、シボパターンは光源との位置関係により、その効果は変化しないため、組立て精度の許容寸法が大きくできる。
【００８０】
図９（ｄ）では、つば部上面１１４ａに、窪み３１３が設けられている。その他、構成は実施の形態１と同じである。この例では、つば部１１４に入光した光が一旦窪み３１３にて全反射することで、つば部１１４の端部側まで導光しやすくなる。つまり、窪み３１３の形状で、光が内部で全反射する。
【００８１】
（実施の形態１０）
図１０（ａ）（ｂ）は、実施の形態１０の導光板１１１の斜視図である。図１（ａ）では、導光板１１１は、円盤状であったが、この実施の形態では、長方体形状である。
【００８２】
図１０（ａ）は、導光板１１１の斜視図である。導光板１１１は、平面状のつば部１１４を２つ有し、２つのつば部１１４の間に２つの曲げ部１１２が位置し、さらに、前記２つの曲げ部１１２間に、１つの平面状の第１発光部１１３がある構成である。
【００８３】
図１０（ｂ）は、この導光板１１１を照明器具に導入した場合の端部の部分拡大図である。図１（ｂ）に相当するものである。つば部１１４の下部にＬＥＤ１１０を配置している。四角形で構成することによって、外枠の覆いのない、全面発光する照明器具が可能となる。さらに、４辺でないので、４辺を固定することによる歪を考慮せずにすみ、ＬＥＤ１１０と、導光板１１１との位置関係が、無理なく固定できる。
【００８４】
（実施の形態１１）
図１１（ａ）〜（ｄ）に本発明の導光板１１１を用いた照明器具の端部の断面図を示す。図１１（ａ）〜（ｄ）においては、図１（ａ）と同じ構成要素については同じ符号を用い、説明を省略する。
【００８５】
導光板１１１とカバー２２０と筐体２２１とから構成されている。その他の構成は、図１（ａ）と同様である。
【００８６】
図１１（ａ）では、上記に示したいずれかの導光板１１１、ＬＥＤ１１０、基板１１５を、カバー２２０と、筐体２２１で囲んだＬＥＤ照明器具である。筐体２２１は平面状で、カバー２２０が、導光板１１１を、ひとまわり大きな形状で覆っている。
【００８７】
図１１（ｂ）では、カバー２２０と筐体２２１の形状が、図１１（ａ）と異なり、照明器具のデザイン、仕様に合わせた形状をとる。
【００８８】
ここでカバー２２０を、光に対して、拡散透過性のあるカバーとすれば、図１１（ａ）、図１１（ｂ）に示すように、導光板１１１の上方にカバー２２０を配置することで、導光板１１１の第１発光部１１３と、つば部１１４とが連続的に発光しているように見え、照明器具として好ましい。
【００８９】
図１１（ｃ）、図１１（ｄ）に示すように、導光板１１１の上方直近に拡散透過性のある光拡散シート２２２を配置することで、第１発光部とつば部が連続的かつよりムラが低減された状態で発光しているようにみえることで、照明器具としてより好ましくなる。
【００９０】
拡散透過性のある光拡散シート２２２としては、フラスチック製で柔軟なシートで、高い光線透過率と拡散性を両立した拡散フィルムを用いることができる。高い光線透過率と拡散性を両立した拡散フィルムを用いることができる。導光板１１１に密着できる。
【００９１】
なお、上記実施の形態１から１１は、阻害しない要素に関しては、相互に組み合わせることができる。
【産業上の利用可能性】
【００９２】
各種照明装置、看板等に用いられる発光部品にもちいることができる。
【符号の説明】
【００９３】
１０７  放出方向
１０８  導光方向
１１０  ＬＥＤ
１１１  導光板
１１２  曲げ部
１１３  第１発光部
１１４  つば部
１１４ａ  つば部上面
１１４ｂ  つば部下面
１１５  基板
１１６  固定部
１１７  プリズム溝
１１８  斜面
１１９  シボ
１２０  出射部
１２２  全反射領域
１２３  第１発光部底面
１２４  入光領域
１２５  近傍領域
１２８  溝
１２６  遠方領域
１３１  プリズム溝
１３２  三角プリズム溝
１３３  円錐
１３４  円錐
１３６  曲線面
１３８  端部端面
１４２  全反射領域
２０１  副導光方向
２２１  筐体
２２０  カバー
２２２  光拡散シート
３１０  プリズム溝
３１１  プリズム溝
３１２  シボ
【図１】
2014026967.tif 000003
【図２】
2014026967.tif 000004
【図３】
2014026967.tif 000005
【図４】
2014026967.tif 000006
【図５】
2014026967.tif 000007
【図６】
2014026967.tif 000008
【図７】
2014026967.tif 000009
【図８】
2014026967.tif 000010
【図９】
2014026967.tif 000011
【図１０】
2014026967.tif 000012
【図１１】
2014026967.tif 000013
【図１２】
2014026967.tif 000014
【図１３】
2014026967.tif 000015